(57)【特許請求の範囲】
【請求項１】
少なくとも後頭部の一部を覆う後頭部片と、該後頭部片に隣接する左右の側頭部の少なくとも一部を覆う側頭部片と、前記後頭部片に所定間隔で配置され、左右方向に延びて前記左右の側頭部片との境界に達する複数の後頭部線状部材と、前記左右の側頭部を横断する方向に延びる側頭部線状部材とを有し、該側頭部線状部材が前記後頭部線状部材と所望の角度で交差するように配置することで、前記側頭部線状部材に植毛された擬毛の向きが所望の向きに設定されており、
前記側頭部片の耳片上方に対向する外縁部に弾性帯を有し、該弾性帯の耳片に近い側の弾性が大きく、耳片から遠い側の弾性が小さいことを特徴とするかつらベース。
【請求項２】
前記側頭部線状部材が、前記後頭部線状部材と一体の線状部材であることを特徴とする請求項１に記載のかつらベース。
【請求項３】
前記側頭部線状部材が、前記後頭部線状部材と別個の線状部材であることを特徴とする請求項１に記載のかつらベース。
【請求項４】
前記弾性帯が、耳片に近い側の帯体と、耳片から遠い側の帯体の二重構造であることを特徴とする請求項１に記載のかつらベース。
【発明の詳細な説明】
【技術分野】
【０００１】
本発明は自毛活用型のかつらベースに関し、特に、側頭部の髪を所望の方向へ向けることができるかつらベースに関する。
【背景技術】
【０００２】
自毛を利用し、不足する毛髪を擬毛で補うタイプのかつらベースが知られている（たとえば特許文献１、特許文献２）。
【０００３】
また、かつらには、頭部の一部を覆う部分かつらと、頭部全体を覆う全頭かつらとがある。そこで、一般にかつらベースは、頭部の囲う範囲を決め、この範囲をいくつかのパートに分け、主として擬毛を植毛する部分はネットで覆い、自毛を活用する部分は、線状部材を、間隔を空けて配置してスリットを形成し、全体を所定の形状にし、その外周縁を囲って形成されている。各パートの境界には、線状部材があり、境界を画定すると同時に、かつらベースの補強も兼ねている。
【０００４】
図５は、従来のかつらベースの図で、（ａ）は裏面図、（ｂ）は模式として表した右側裏面図である。これらの図に示すかつらベース１０は、フロント部片１１、後頭部片１２、左側頭部片１３、右側頭部片１４、ネープ部１５とから構成されている。かつらベース１０の外周縁部１６は、線状部材で縁取られている。
【０００５】
フロント部片１１は、額の近くから、頭頂部全体を覆う部分で、この例では、全面にネットａを張っている。また、このフロント部片１１は、両側の２本の線状部材１７により左側頭部片１３と右側頭部片１４に接している。また、この線状部材１７は補強材ともなっており、フロント部片１１の形状を保つのに役だっている。
【０００６】
後頭部片１２は、上はフロント部片１１と、下はネープ部１５と、それぞれ境界となる線状部材１９を介して接しており、ほぼ水平方向に平行に張られた複数の線状部材１８を有する。各線状部材１８、１９の間に複数のスリットが形成されている。このスリットは、自毛を引き出すためのものである。
【０００７】
左側頭部片１３は、耳の前面を覆う左側揉上げ部１３ａと、複数の線状部材１８の相互間に形成された複数のスリットを有する左側スリット部１３ｂとに別れている。左側揉上げ部１３ａと左側スリット部１３ｂとの境界には線状部材１９が設けられている。また、左側頭部片１３の外周縁部１６の図示しない耳片と対向する位置には、弾性帯２０が設けられ、この弾性によってかつらベース１０が頭部に密着するようにしている。
【０００８】
右側頭部片１４は、左側頭部片１３と同様に右揉上げ部１４ａと右側スリット部１４ｂとに別れ、線状部材１９で区分けされている。以上の構成において、外周縁部１６、線状部材１７、１８、１９は、ネットの縁を折り返してミシンで縫製したものや、幅が３ｍｍ前後の細い編地などを使用しており、編目等に擬毛を植毛できるようになっている。
【０００９】
上述したかつらベース１０においては、スリットを形成する線状部材１８は、左側頭部片１３から後頭部片１２を通って右側頭部片１４まで一体となった線状部材で、頭部をほぼ水平に囲う円弧を描いて配置されている。
なお、図５（ｂ）の右側頭部片１４では、線状部材１８を直線状に描いているが、これは模式的な表現であり、実際には頭部の形状に沿った湾曲形状である。
【００１０】
このかつらベースの使用方法は、次のとおりである。まず、かつらベース１０を頭部の所定の位置に置き、線状部材１８の間に形成された後頭部及び左右の側頭部片１３、１４のスリットから自毛を引き出す。このとき自毛でかつらベースを結ぶ場合もある。その後、ネットａ及び外周縁部１６、線状部材１７、１８、１９に必要量の擬毛を植毛する。これらが終了すると、かつら使用者の状況に応じてストッパーや接着剤等によりかつらベース１０を頭部に固定する。
【００１１】
かつらを付けた後、希望する髪型に整髪するのであるが、この整髪をする際、側頭部では、擬毛と自毛をともに後方に向けて整髪する場合と、前方に向けて整髪する場合と、下方に向けて整髪する場合とがある。従来の線状部材１８は、頭部の周囲をほぼ水平の環状に囲っているので、擬毛を下向き整髪するのに適しているが、後方に向けて整髪する場合や、前方に向けて整髪する場合には、植毛した擬毛にこてを当てて、熱によって後方に向けたり、前方に向けたりしていたので、余分な作業時間を必要としていた。また、一旦こてで後方や前方に向けられた場合でも、時間の経過とともに、元の下向きに戻ってしまい易かった。
【先行技術文献】
【特許文献】
【００１２】
【特許文献１】特開２００８−２１４８３３
【特許文献２】特開平１１−１０７０２４
【発明の概要】
【発明が解決しようとする課題】
【００１３】
本発明は、このような事実に鑑みてなされたもので、側頭部の擬毛を必要に応じて自然に後方に向けたり、前方に向けたりすることができるかつらベースを提供することを目的としている。
【課題を解決するための手段】
【００１４】
上記の目的を達成するために本発明のかつらベースは、少なくとも後頭部の一部を覆う後頭部片と、該後頭部片に隣接する左右の側頭部の少なくとも一部を覆う側頭部片と、前記後頭部片に所定間隔で配置され、左右方向に延びて前記左右の側頭部片との境界に達する複数の後頭部線状部材と、前記左右の側頭部を横断する方向に延びる側頭部線状部材とを有し、該側頭部線状部材が前記後頭部線状部材と交差するように配置されたことを特徴としている。
【００１５】
前記側頭部線状部材が、前記後頭部線状部材と一体の線状部材である構成としたり、前記側頭部線状部材が、前記後頭部線状部材と別個の線状部材である構成としたりすることができる。また、前記かつらベースが、前記側頭部片の耳片上方に対向する外縁部に弾性帯を有し、該弾性帯の耳片に近い側の弾性が大きく、耳片から遠い側の弾性が小さい構成としてもよい。前記弾性帯が、耳片に近い側の帯体と、耳片から遠い側の帯体の二重構造とすることもできる。
【発明の効果】
【００１６】
側頭部片に設ける側頭部線状部材を、後頭部線状部材に対して交差させ、顔面に向かって上方に傾斜させるようにすると、側頭部線状部材に植毛した擬毛は顔面側に向かうようになり、側頭部の毛髪を顔面側に向けた髪型に適する。
【００１７】
側頭部片に設ける側頭部線状部材を、後頭部線状部材に対して交差させ、顔面に向かって下方に傾斜させるようにすると、側頭部線状部材に植毛した擬毛は背面側に向かうようになり、側頭部の毛髪を背面側に向けた髪型に適する。
【００１８】
側頭部線状部材と後頭部線状部材とは、同じ線状部材を境界で折り曲げてもよく、別個の線状部材としてもよい。側頭部線状部材と後頭部線状部材のすべてを別個の線状部材にしてもよく、一部だけを別個の線状部材としてもよい。
【図面の簡単な説明】
【００１９】
【図１】本発明のかつらベースの第１実施例を模式的に示す右側裏面図である。
【図２】本発明のかつらベースの第２実施例を模式的に示す右側裏面図である。
【図３】本発明のかつらベースの第３実施例を模式的に示す右側裏面図である。
【図４】弾性帯の図で、（ａ）は本願の弾性帯の図、（ｂ）は従来の弾性帯の作用を説明する図、（ｃ）は本願の弾性帯の作用を説明する図である。
【図５】従来のかつらベースの例を示す図で、（ａ）は上面図、（ｂ）は模式的に示す右側裏面図である。
【発明を実施するための形態】
【００２０】
以下に本発明の実施例を、図面を用いて説明する。
【００２１】
〔第１実施例〕
図１は、本発明の第１実施例のかつらベースを模式的に示す図で、右側裏面図である。従来例と共通する部分は、同じ符号を用いて説明を省略し、相違点を中心に説明する。
【００２２】
図１の符号ｂに示すほぼ水平方向の線は、後頭部線状部材１８を側頭部に延長した線を示しているが、本発明のかつらベース１０１では、側頭部片１４の側頭部線状部材２１と、後頭部線状部材１８とが図示のようにθ１の角度で交差している。この実施例では、側頭部線状部材２１は、顔面（図の左側）に向かって上方に傾斜している。この側頭部線状部材２１に擬毛を植毛すると、植毛された擬毛は顔面側（図の左側）に向き、側頭部の毛髪を前向きにした髪型に適したものとなる。
【００２３】
後頭部線状部材１８と、側頭部線状部材２１とを異なる符号で示したが、これらは、別個の線状部材としてもよく、後頭部線状部材１８と一体にして、境界にある線状部材１７との交差点で折り曲げるようにしてもよい。
【００２４】
〔第２実施例〕
図２は、本発明の第２実施例の図で、かつらベースを模式的に示す右側裏面図である。このかつらベース１０２では、側頭部片１４の側頭部線状部材２１を、顔面（図の左方向）に向かって下方に傾斜させ、後頭部線状部材１８と図１とは逆方向にθ２の角度で交差させている。この側頭部線状部材２１に擬毛を植毛すると、植毛された擬毛は背面側（図の右側）に向き、側頭部の毛髪を後ろ向きにした髪型に適したものとなる。
【００２５】
なお、このように後頭部線状部材１８と側頭部線状部材２１とを交差させると、後頭部線状部材１８と側頭部線状部材２１とが１対１で対応しない場合が生じる。たとえば、図２において、線状部材２１ａは、対応する後頭部線状部材１８がない。このように、後頭部線状部材１８と側頭部線状部材２１とを一体のものにしても、交差角度などにより、必然的に一部に側頭部だけの線状部材が生じることも起こる。
【００２６】
〔第３実施例〕
図３は、本発明の第３実施例の図で、かつらベースを模式的に示す右側裏面図である。このかつらベース１０３では、図１に示す後頭部線状部材１８と、側頭部線状部材２１とを分離している。ただし、後頭部線状部材１８と、側頭部線状部材２１との交差する角度θ１は、図示のように、同じにすることも可能である。
【００２７】
また、このように後頭部線状部材１８と、側頭部線状部材２１とを分離した場合、後頭部線状部材１８相互間の間隔と、側頭部線状部材２１相互間の間隔とを相違させる（スリットの幅を変える）こともできる。
【００２８】
なお、図１から図３に示す実施例において、側頭部線状部材２１の一方端を着脱自在にすることで、後頭部線状部材１８との交差角度を変更できるようにしてもよい。
【００２９】
〔弾性帯〕
次に弾性帯２２について説明する。本願の弾性帯２２は、図１から図３に示すように、左右の側頭部片１３、１４の下方、耳片と対向する外周縁部１６に設けられている。弾性を有するので、かつらベースを頭部に密着させるのに、有効な手段となっている。
【００３０】
図４は、弾性帯を説明する図で、（ａ）は本願の弾性帯２２の図で、（ｂ）は従来の弾性帯２０の作用を説明する図で、（ｃ）は本願の弾性帯２２の作用を説明する図である。
【００３１】
図４（ａ）に示すように、本願の弾性帯２２は、弾性の小さい第１帯体２２ａと、弾性の大きい第２帯体２２ｂとから構成されている。第１帯体２２ａは、弾性がほとんど無いか、あっても小さく、あまり伸縮しない素材からなる。第２帯体２２ｂは、弾性が大きく、よく伸縮する素材からなる。
【００３２】
図４（ｂ）に示す従来の弾性帯２０は、全体が一様に伸縮するので、かつらベース１０を頭部に装着したとき、弾性帯２０が縮むと耳片Ｙに当たって痛くなるという問題があった。
【００３３】
これに対し、本願の弾性帯２２は、図４（ａ）に示すように、耳片Ｙに近い方の弾性が大きく、耳片Ｙから遠い方の弾性が小さいので、かつらベース１０１、１０２、１０３を頭部に装着し、弾性帯２２が縮むと、耳片Ｙに近い第２弾性帯２２ｂの方が大きく縮み、耳片Ｙから遠い方の第１弾性帯２２ａは縮む量が少ない。そのため、弾性帯２２は、図４（ｃ）に示すように耳片Ｙから離れる方向に湾曲し、耳片Ｙに当たることがなくなる。そのため、耳片Ｙに当たって痛くなる、といったことを防止することができる。
【００３４】
上記の実施例では、弾性帯２２を、耳片Ｙから遠い第１弾性帯２２ａと耳片Ｙに近い第２弾性帯２２ｂの２つに分けているが、これに限定されない。一般に、耳片に近い側の弾性を大きくし、耳片から遠い側の弾性を小さくすればよいので、３層以上にしてもよく、耳片Ｙから離れるにしたがって徐々に弾性が小さくなるようにしてもよい。
【符号の説明】
【００３５】
１２    後頭部片
１３    左側頭部片
１４    右側頭部片
１６    外周縁部
１７    線状部材
１８    線状部材
１９    線状部材
２１    側頭部線状部材
２２    弾性帯
１０１    かつらベース
１０２    かつらベース
１０３    かつらベース
ａ    ネット
Ｙ    耳片
θ１、θ２    交差角度
【図１】
0005922357.tif 000002
【図２】
0005922357.tif 000003
【図３】
0005922357.tif 000004
【図４】
0005922357.tif 000005
【図５】
0005922357.tif 000006